(57)【要約】      （修正有）【課題】タオル掛けに容易にタオルを掛けたり、タオル掛けから容易に取り外すことができるタオル掛けを提供する。【解決手段】表面に複数の孔を備えた樹脂製カラーボールの側面に吸着盤を取り付け、吸着盤を壁に吸着させることで樹脂製カラーボールを壁に固定し、樹脂製カラーボールの孔にタオルを差し込み乾燥させ、また引き抜いたタオルで手を拭いたり、顔を拭いたり、使用後は孔にタオルを差し込み乾燥することに使用する。【選択図】図１
0003172589.tif 000002
【実用新案登録請求の範囲】
【請求項１】
表面に複数の孔（２）を設けた樹脂製カラーボール（１）と吸着部の反対側に凸状の突起部を備えた吸着盤（３）からなり、樹脂製カラーボール（１）の孔（２）の１箇所に吸着盤（３）の凸状突起部を挿入し、挿入部は瞬間接着剤（７）で固定され、吸着盤（３）の吸着部を側壁（４）に取り付けて使用することを特徴とするタオル掛け。
【請求項２】
樹脂製カラーボール（１）の吸着盤（３）取り付け部の対向側の孔と孔との間に２箇所の切り裂き部（６）を設けたことを特徴とする請求項１記載のタオル掛け。
【請求項３】
樹脂製カラーボール（１）の孔径（９）を隣接する孔との樹脂厚を略３ｍｍ保つ範囲まで大きくしたことを特徴とする請求項１または請求項２記載のタオル掛け。
【請求項４】
樹脂製カラーボール（１）の孔（２）の１箇所に吸着盤（３）の凸状突起部を挿入し、樹脂製カラーボール（１）と吸着盤（３）を凸状突起部上に孔（２）より大きいリング状の樹脂製キャップを嵌合することで固定したことを特徴とする請求項１から請求項３記載のタオル掛け。
【考案の詳細な説明】
【技術分野】
【０００１】  本考案は、タオルを乾かすために掛ける、使用するときに取り外しが容易なタオル掛けに関するものである。
【背景技術】
【０００２】  高齢者は、指、足の筋肉が弱まることから、普段手を拭いたり、顔を拭いたりする時に、タオルをタオル掛けから取り外し、又は使用後にタオルタオル掛けにタオルを掛けることは容易ではない問題があった。【０００３】  一般的にタオル掛けはハンガーを利用することが多く、速やかに乾燥させるためにハンガーに通風用の空間を持たせる、またはハンガー本体にアーム部材と取り付けたものが乾燥効果を高めたり、乾きやすくする利点があることからタオルかけとして実用に供されている。【０００４】  しかし、タオルをタオル掛けから取り外す時に容易にアームから取り外すことはできず、使用後に掛けることも容易にできないという欠点があった。
【先行技術文献】
【特許文献】
【０００５】
【特許文献１】特開２００５−３４５７９号公報
【特許文献２】特開２００６−１４１６５９号公報
【考案の概要】
【考案が解決しようとする課題】
【０００６】  解決しようとする問題点は、指、足の筋肉が弱くなった高齢者は、普段手を拭いたり、顔を拭いたりする時に、タオルをタオル掛けから取り外し、又は使用後にタオル掛けにタオルを掛けることが容易にできない点である。
【課題を解決するための手段】
【０００７】  本考案は、タオルをタオル掛けから取り外し、又は使用後にタオル掛けにタオルを掛けることを容易にするために樹脂製カラーボールに孔を設け、タオルの端部の一部を孔に挿入することで掛けることを最も主要な特徴とする。
【考案の効果】
【０００８】  本考案のタオル掛けは、樹脂製カラーボールに孔を設け、タオルの端部を孔に挿入することで掛けることから、タオル掛けに容易にタオルを掛けたり、タオル掛けから容易に取り外すことができる利点がある。
【図面の簡単な説明】
【０００９】
【図１】図１は孔を空けた樹脂製カラーボールにタオルを掛けた実施方法を示した説明図である。
【図２】図２は孔を空けた樹脂製カラーボールの孔間の樹脂部を切り裂くことによりバスタオルのような大きいタオルを掛ける実施方法を示した説明図である。
【図３】樹脂製樹脂製カラーボールに吸着盤を取り付けた状態と接着剤で固定した部分を拡大した断面を示した説明図である。
【図４】樹脂製樹脂製カラーボールの孔を大きくしバスタオルのような大きいタオルを掛ける実施方法を示した説明図である。
【考案を実施するための形態】
【００１０】  指、足の筋肉が弱くなった高齢者でも、普段手を拭いたり、顔を拭いたりする時に、タオル５をタオル掛けから取り外し、又は使用後にタオル掛けにタオル５を掛けるという目的を、最小の部品点数で、壁に簡単に取り付けることができるタオル掛けを実現した。
【００１１】  図１は、本考案のタオル掛けの１実施例の全体図である。樹脂製カラーボール１には孔２が設けてあり、孔２の１個所に吸着盤３の突起部が挿入され、挿入部は瞬間接着剤で固定されている。
【００１２】  吸着盤３の吸着部を側壁４に吸着させ樹脂製カラーボール１を側壁４に固定する。タオル５の一部を孔２に差し込むことによりタオル５を容易に掛けることができる。
【００１３】  手を拭いたり、顔を拭いたりする時に、タオル５をタオル掛けから容易に取り外すことができる。使用後にタオル掛けにタオル５を掛けることも孔２にタオルの端部を差し込むことで容易にでき、指、足の筋肉が弱くなった高齢者でも容易にできるという目的を達成したことは言うまでもない。
【００１４】  樹脂製カラーボール１には孔２が設けてあることから、カラーボール上にタオル５を上から覆うように掛けても孔２の摩擦抵抗でタオルが滑り落ちることなく湿ったタオルを乾かすことができる。
【００１５】  図２は、少し大きなタオル５を掛けるときに孔２の相互間の表面に切り裂き部６を設けた説明図である。切り裂き部６を設けることにより孔２を広げることになり、その結果タオル５の端部を更に容易に裂き部６に差し込むことができる。
【００１６】    図３は、樹脂製樹脂製カラーボール１に吸着盤３を取り付けた状態の断面を拡大して示した説明図である。吸着盤３の突起部と樹脂製樹脂製カラーボール１の孔２との挿入部は瞬間接着剤７で固定されている。
【００１７】図４は、孔径を大きくした樹脂製カラーボール８と大きな孔径の孔９を示した説明図である。樹脂製カラーボール８の隣接する孔間の樹脂厚を略３ｍｍ保つ範囲まで大きくすることでバスタオルのような大きいタオルを容易に取り付けることができる。また、樹脂製カラーボール８の大きさを変更し、また孔径を変えることでタオルの種類に合わせたタオル掛けにできることは言うまでもない。
【００１８】図３では、吸着盤３の突起部と樹脂製樹脂製カラーボール１の孔２との挿入部は瞬間接着剤７で固定する方法の例を説明したが、図示はしないが樹脂製カラーボール１の孔２の１箇所に吸着盤３の凸状突起部を挿入し、樹脂製カラーボール１と吸着盤３を固定するのに、凸状突起部先端上に孔２より大きいリング状の樹脂製キャップを嵌合しても良い。固定方法は説明した方法に限定されるものではなく、凸状突起部先端をネジを切りナットで固定する方法でも良い。
【産業上の利用可能性】
【００１９】樹脂製カラーボールの孔の１箇所に吸着盤を取り付け、吸着盤を壁に吸着させることでカラーボールを壁に取り付けることができ、カラーボールの孔にタオルの一部を押しこむことによりタオル掛けとして使用でき、またタオルの取り付け取り外しは容易にでき、樹脂製カラーボールが球状であることからカラーボール上に覆うように掛けても使用できる。
【符号の説明】
【００２０】１    樹脂製樹脂製カラーボール
２    孔
３    吸着盤
４    側壁
５    タオル
６    切り裂き部
７    瞬間接着剤
８    孔径を大きくした樹脂製カラーボール
９    大きな孔径の孔
【図１】
0003172589.tif 000003
【図２】
0003172589.tif 000004
【図３】
0003172589.tif 000005
【図４】
0003172589.tif 000006
【手続補正書】
【提出日】平成23年10月5日(2011.10.5)
【手続補正１】
【補正対象書類名】実用新案登録請求の範囲
【補正対象項目名】請求項４
【補正方法】変更
【補正の内容】
【請求項４】
樹脂製カラーボール（１）の孔（２）の１箇所に吸着盤（３）の凸状突起部を挿入し、樹脂製カラーボール（１）と吸着盤（３）を凸状突起部上に孔（２）より大きいリング状の樹脂製キャップを嵌合することで固定したことを特徴とする請求項１から請求項３のいずれかに記載のタオル掛け。